(57)【特許請求の範囲】
【請求項１】
ベッド枠体と、この枠体上に配置された床板と、この床板を起倒させるための伸縮自在なアクチュエータとを備えたベッドにおいて、前記床板は頭部当て板、背部当て板、臀部当て板、上脚部当て板および下脚部当て板をそれぞれ互いに隣接する端部で折り曲げ自在に連結することにより構成され、前記アクチュエータは一端が頭部当て板に固定されるとともに、他端がベッド枠体に回動自在に固定され、前記背部当て板は臀部当て板に隣接する側の付近でリンクＡを介してベッド枠体と連結され、前記臀部当て板は前記背部当て板に隣接する側の付近でブラケットを介して前記リンクＡと連結されるとともに、上脚部当て板に隣接する側の付近ないしは上脚部当て板との連結部でリンクＢを介してベッド枠体と連結されてなり、前記アクチュエータを伸長することにより、ベッド本体に固定されたアクチュエータ端部が回動して頭部当て板を起上し、次いで背部当て板を起上し、さらに臀部当て板の背部当て板に隣接する側を下げ、上脚部当て板に隣接する側を上げるとともに、上脚部当て板と下脚部当て板の連結部を山型に盛り上げて床板を起上し、前記アクチュエータを収縮することにより床板を下降することを特徴とする床板の起倒自在なベッド。
【請求項２】
前記頭部当て板と背部当て板の連結部には、頭部当て板の過度な上昇を防止して背部当て板を上昇せしめるストッパーが備えられた請求項１に記載された床板の起倒自在なベッド。
【請求項３】
前記背部当て板とベッド枠体との間にステーが回動自在に設けられた請求項１に記載された床板の起倒自在なベッド。
【発明の詳細な説明】
【０００１】
【発明の属する技術分野】
本発明は床板の起倒自在なベッドに係り、特に、ベッド上の患者、寝たきり老人等の横臥者を起上する際に、頭部から順次に、自然体を保ちながらゆっくりと起上させることができ、横臥者の起き上がるときの負担を軽減して筋肉の浪費や不快感、不安感等を取り除き得る、特に、医療用ないしは介護用として適した床板の起倒自在なベッドに関する。
【０００２】
【従来の技術】
ベッドは通常、ベッド枠体の上に床板を配置し、この上にマットレスを載せることにより構成される。特に、医療用ないしは介護用ベッドとしては、床板を３乃至５個に分割し、これらをアクチュエータにより頭部から順次に起上せしめる形式の床板の起倒自在なベッドが用いられている。
【０００３】
この種の医療用ないしは介護用ベッドとして、従来、例えば図５に示されるように、床板が４個に分割されたものが用いられている。
【０００４】
図５において、指示番号20はベッドの床板であって、背当て板12、臀部当て板22、上脚部当て板23、下脚部当て板24の４部分に分割され、これらは互いに折り曲げ自在に連結されている。
【０００５】
そして、ベッド上の横臥者が起上する際には、図示しないアクチュエータの作動により、床板20の背当て板21が起き上げられるとともに、上脚部当て板23と、下脚部当て板24との連結部が山型に盛り上げられ、これによりベッド上の横臥者は起上され、背当て板21の起上につれて体重が臀部当て板22に集中する。
【０００６】
【発明が解決しようとする課題】
しかし、この種の床板20では、臀部当て板22は作動せずに水平に固定されたままである。座角が水平であると、横臥者は「前ずれ現象」を起こしてすべり出し姿勢となり、このすべり出し姿勢を立て直そうとするため、起き上がる際に負担がかかり、筋肉の浪費や不快感、不安感等を起こす。
【０００７】
そこで、本発明の目的はベッド上の横臥者を起上する際に、頭部から順次に、自然体を保ちながら、ゆっくりと起上させることができ、横臥者の起き上がるときの負担を軽減して筋肉の浪費や不快感、不安感を取り除き、上述の公知技術に存する欠点を改良した、特に医療用ないしは介護用として適した床板の起倒自在なベッドを提供することにある。
【０００８】
【課題を解決するための手段】
上述の目的を達成するため、本発明によれば、ベッド枠体と、この枠体上に配置された床板と、この床板を起倒させるための伸縮自在なアクチュエータとを備えたベッドにおいて、前記床板は頭部当て板、背部当て板、臀部当て板、上脚部当て板および下脚部当て板をそれぞれ互いに隣接する端部で折り曲げ自在に連結することにより構成され、前記アクチュエータは一端が頭部当て板に固定されるとともに、他端がベッド枠体に回動自在に固定され、前記背部当て板は臀部当て板に隣接する側の付近でリンクＡを介してベッド枠体と連結され、前記臀部当て板は前記背部当て板に隣接する側の付近でブラケットを介して前記リンクＡと連結されるとともに、上脚部当て板に隣接する側の付近ないしは上脚部当て板との連結部でリンクＢを介してベッド枠体と連結されてなり、前記アクチュエータを伸長することにより、ベッド本体に固定されたアクチュエータ端部が回動して頭部当て板を起上し、次いで背部当て板を起上し、さらに臀部当て板の背部当て板に隣接する側を下げ、上脚部当て板に隣接する側を上げるとともに、上脚部当て板と下脚部当て板の連結部を山型に盛り上げて床板を起上し、前記アクチュエータを収縮することにより床板を下降することを特徴とする。
【０００９】
【発明の実施の形態】
以下、本発明を添付図面を用いて具体的に詳述する。
【００１０】
図１は本発明にかかるベッドの頭部当て板を起上させた状態の側面図であり、図２は本発明にかかるベッドの頭部当て板と背部当て板の両方を起上させた状態の側面図であり、図３は本発明にかかるベッドの起上を完了した状態の側面図であり、図４は本発明ベッドの機能を表した説明図であり、図５は従来のベッドの機能を表した説明図である。
【００１１】
本発明にかかるベッドは図１〜図３に示されるように、ベッド枠体１と、この枠体１上に配置された床板２と、この床板２を起倒させるための伸縮自在なアクチュエータ３とを備えて構成され、通常、この床板２上にはマットレス４が載置され、マットレス４上には患者、寝たきり老人等、看護ないしは介護の必要な横臥者５が就寝する。
【００１２】
床板２は頭部当て板６、背部当て板７、臀部当て板８、上脚部当て板９、および下脚部当て板10の５部分に分割され、これらを例えば、ヒンジ11、12、13、14によってそれぞれ互いに隣接する端部で折り曲げ自在に連結して構成される。
【００１３】
アクチュエータ３は例えば伸縮自在な油圧シリンダであり、一端３ａを頭部当て板６の裏面に固定し、かつ他の一端３ｂをベッド枠体１に回動自在に固定して配置される。
【００１４】
背部当て板７は臀部当て板８に隣接する側の付近でリンクＡ15を介してベッド枠体１と連結される。このとき、リンクＡ15の連結はもちろん、回動自在に行われる。
【００１５】
臀部当て板８は背部当て板７に隣接する側の付近でブラケット16を介してリンクＡ15のほぼ中央部と連結され、かつ上脚部当て板９に隣接する側の付近、あるいは上脚部当て板９との連結部でリンクＢ17を介してベッド枠体１と連結される。リンクＢ17の連結もまた、回動自在である。18はステー、19はストッパーである。
【００１６】
上述の構成からなる本発明にかかるベッドは、操作に際して、まず図１に示されるように、アクチュエータ３のシリンダ部分を伸長すると、アクチュエータ３の力が矢印方向に働き、これによりベッド本体１に固定された他の端部３ｂが回動し、頭部当て板６を矢印方向に起上する。
【００１７】
さらに、図２に示されるように、アクチュエータ３を一層伸長すると、頭部当て板６はさらに一層矢印方向に起上するが、ストッパー19の働きにより頭部当て板６の起上が特定の位置で停止され、これに代わって、背部当て板７が起上を開始する。
【００１８】
さらに、図３に示されるように、アクチュエータ３をより一層伸長すると、頭部当て板６と背部当て板７はこれらの間に形成される角度を一定に保ちながら矢印方向にさらに起上し、やがてマットレス４上の横臥者５は上半身を完全に起上する。このときの頭部当て板６と背部当て板７の位置状態は図４に示される。
【００１９】
このとき、臀部当て板９はブラケット16を介してリンクＡ15に引っ張られて背部当て板７に隣接する側を引き下げ、かつリンクＢ17の働きにより上脚部当て板９に隣接する側をもち上げ、図４に示されるように実線で描かれた水平位置から破線で描かれた傾斜位置に変化する。
【００２０】
さらに、このとき、上脚部当て板９と下脚部当て板10の連結部は図３および図４に示されるように、山型に盛り上げられる。
【００２１】
これにより、マット４上の横臥者５は図３に示されるように、上半身が完全に起上するとともに、臀部当て板９が臀部方向にやや傾斜するため臀部の前方向へのすべりが防止され、かつ、脚部が上脚部当て板９と下脚部当て板10によって形成される連結部の盛り上がりにより上方向に持ち上げられ、心地よくベッド上に起立することができる。
【００２２】
なお、上記連結部の盛り上がりはリングＢ17の作動により引っ張られて形成されるが、さらに、図示しないが、他のアクチュエータを装備して別個に押し上げて形成することもできる。
【００２３】
また、上述のアクチュエータ３を収縮することにより、上述の操作とは反対に、頭部当て板６および背部当て板７を倒し、かつ、臀部当て板８を水平にもどし、上脚部当て板９と下脚部当て板10によって形成される盛り上がりを水平にして床板２を水平に倒し、起立した横臥者５をもとの状態に戻すことができる。
【００２４】
【発明の効果】
上述の本発明は次の効果を奏する。
（１）図１に示されるように、まず、頭部当て板６のみが少し起上するため、マットレス４上の横臥者５に起上するという意識を持たせ、不安感を解消させる。
【００２５】
（２）次いで、図２および図３に示されるように、頭部当て板６と背部当て板７の角度を一定に保ちながらこれらをさらに起上して横臥者５の上半身を起上する。このとき、臀部当て板９は横臥者５の臀部方向に引っ張られながら臀部方向が低くなるように傾斜するから、横臥者５は臀部当て板９からずれ落ちることがない。
【００２６】
（３）さらに、上脚部当て板９と下脚部当て板10との連結部がリンクＢ17に引っ張られて盛り上がるから、横臥者５は起上の際、ベッド上で脚部を持ち上げることができ、このため、心地よくベッド上に起上できる。
【００２７】
（４）すなわち、ベッド上の横臥者は起上の際に、頭部から順次に、自然体を保ちながら、ゆっくりと起上することができ、従来のようにすべり出し姿勢を立て直そうとする動作は不用となり、このため、横臥者の起き上がるときの負担を軽減して筋肉の浪費や不快感、不安感を取り除く。
【図面の簡単な説明】
【図１】本発明にかかるベッドの頭部当て板を起上させた状態の側面図である。
【図２】本発明にかかるベッドの頭部当て板と背部当て板の両方を起上させた状態の側面図である。
【図３】本発明にかかるベッドの起上を完了した状態の側面図である。
【図４】本発明にかかるベッドの機能を表した説明図である。
【図５】従来のベッドの機能を表した説明図である。
【符号の説明】
１  ベッド枠体
２  床板
３  アクチュエータ
3a  一端
3b  他の一端
４  マットレス
５  横臥者
６  頭部当て板
７  背部当て板
８  臀部当て板
９  上脚部当て板
10  下脚部当て板
15  リンクＡ
16  ブラケット
17  リンクＢ
18  ステー
19  ストッパー
【図１】
0003747298.tif 000002
【図２】
0003747298.tif 000003
【図３】
0003747298.tif 000004
【図４】
0003747298.tif 000005
【図５】
0003747298.tif 000006